(57)【要約】    【課題】居室親機の動作モードを変更せずに表示部に表示すべき文字メッセージを追加または変更可能とし、居室親機の生産性を高める。    【解決手段】各種外部センサ２にて検出された風速、天候、気圧、水量、震度等の情報であるセンサ回路３からのデータを、外部入力装置４の制御により、居室親機５の表示部５１の任意の位置（座標位置）に文字メッセージで表示するための位置座標、文字コードのデータ列に変換する。このデータ列は、居室親機の制御回路５３、５４にて編成される位置座標、文字コードのデータ列と同様なフォーマットにする。  【選択図】図１
2007097079.tif 000002
【特許請求の範囲】
【請求項１】
来訪者が居住者を呼び出して通話を成立させるとともに、前記来訪者の映像を撮像するためのカメラ（１３）を有する玄関子機（１）と、前記玄関子機からの呼び出しを報知し、前記居住者が前記来訪者との間で通話を成立させるとともに、前記玄関子機のカメラにて撮像された映像を出画するための表示部（５１）、前記表示部に表示すべき文字メッセージを位置座標、文字コードのデータ列に編成して表示するための制御回路（５３、５４）を有する居室親機（５）とを備え、
風速、天候、気圧、水量、震度等を検出するための各種外部センサ（２）が接続されたセンサ回路（３）からのデータを受信し、前記データを前記居室親機の表示部の任意の位置に文字メッセージで表示するための位置座標、文字コードのデータ列として前記制御回路に送出するための外部入力装置（４）とを設けることを特徴とするインターホン装置。
【発明の詳細な説明】
【技術分野】
【０００１】
本発明はインターホン装置に係り、特に、各種外部センサにて検出される天候、気圧、水量、震度等の内容を示す文字メッセージを表示する機能を居室親機に備えたインターホン装置に関する。
【背景技術】
【０００２】
従来から、玄関子機からの呼び出しが報知され、この玄関子機のカメラにて撮像された映像を表示部に出画するとともに、呼出元の玄関子機との間で通話を成立させることができる居室親機を備えたインターホン装置が開示されている（例えば、非特許文献１を参照。）。
【０００３】
非特許文献１に記載のインターホン装置において、玄関子機から呼び出しがあると、居室親機は呼出モードとなり、この呼び出しを報知するための文字メッセージを表示部に表示させることができる。また、玄関子機からの呼び出しに応答すると、居室親機は呼出モードから通話モードに移行され、呼出元の玄関子機との間で通話が成立している旨の文字メッセージを表示部に表示させることができる。さらに、居室親機に接続された各種外部センサにて天候、気圧、水量、震度等が検出されると、居室親機はセンサ検出モードとなり、各種外部センサにて検出された内容の文字メッセージを表示部に表示させることができる。
【０００４】
なお、前述のようなセンサ検出機能を有する機器として、特許文献１に記載のセキュリティ装置が開示されている。このセキュリティ装置によれば、警報発報時にカラーＬＣＤに警報内容を文字表示し、かつ、発報してから経過した経過時間を表示することができる。
【０００５】
【非特許文献１】アイホン総合カタログ  ２００５／２００６年版（第９頁、第１１頁等）
【特許文献１】特開平１１−２７２９７３号公報（段落番号「０００８」乃至「００１１」、第１図）
【発明の開示】
【発明が解決しようとする課題】
【０００６】
しかしながら、背景技術に記載した特許文献１のインターホン装置によれば、居室親機の動作モード（呼出モード、通話モード、センサ検出モード等）が固定されているため、市場の要求によって表示部への表示を追加する、または表示の内容を変更する場合には、要求される表示毎に動作モードを個別に変更しなければならず、居室親機の品種が増加するばかりでなく、その対応に多くの時間が費やされる等で生産性の低下を招いていた。
【０００７】
また、背景技術に記載した非特許文献１のセキュリティ装置に、特許文献１のインターホン装置を構成する居室親機の機能（呼出報知機能、映像出画機能および通話機能）が備えられていると、前述と同様な難点、すなわち、セキュリティ装置の品種が増加するばかりでなく、その対応に多くの時間が費やされる等で生産性の低下を招いていた。
【０００８】
本発明は、この難点を解消するためになされたもので、居室親機の動作モードを変更せずに表示部に表示すべき文字メッセージを追加または変更可能とし、居室親機の生産性が高められたインターホン装置を提供することを目的としている。
【課題を解決するための手段】
【０００９】
前述の目的を達成するため、本発明のインターホン装置は、来訪者が居住者を呼び出して通話を成立させるとともに、来訪者の映像を撮像するためのカメラを有する玄関子機と、玄関子機からの呼び出しを報知し、居住者が来訪者との間で通話を成立させるとともに、玄関子機のカメラにて撮像された映像を出画するための表示部、表示部に表示すべき文字メッセージを位置座標、文字コードのデータ列に編成して表示するための制御回路を有する居室親機とを備えたものである。このインターホン装置は、風速、天候、気圧、水量、震度等を検出するための各種外部センサが接続されたセンサ回路からのデータを受信し、データを居室親機の表示部の任意の位置に文字メッセージで表示するための位置座標、文字コードのデータ列として制御回路に送出するための外部入力装置が設けている。
【発明の効果】
【００１０】
本発明のインターホン装置によれば、各種外部センサにて検出された風速、天候、気圧、水量、震度等の情報であるセンサ回路からのデータを、外部入力装置の制御により、居室親機の表示部の任意の位置（座標位置）に文字メッセージで表示するための位置座標、文字コードのデータ列に変換することができる。このデータ列は、居室親機の制御回路にて編成される位置座標、文字コードのデータ列と同様なフォーマットであるため、表示部に表示すべき文字メッセージを、居室親機の動作モードを変更せずに追加または変更が可能であり、居室親機の生産性を高めることができる。
【発明を実施するための最良の形態】
【００１１】
以下、本発明のインターホン装置を実施するための最良の形態例について、図面を参照して説明する。
【００１２】
図１は、本発明を実施するための最良の一形態であるインターホン装置の構成を示すシステムブロック図である。
【００１３】
図１に示すインターホン装置は、屋外、エントランスに設置された玄関子機１と、風速、天候、気圧、水量、（地震の）震度等を検出するための各種外部センサ２と、伝送路（以下、第１の伝送路という。）Ｌ1を経由して各種外部センサ３に接続されたセンサ回路３と、伝送路（以下、第２の伝送路という。）Ｌ2を経由して接続されたセンサ回路３からのデータを受信し、後述する位置座標、文字コードのデータ列に変換するための外部入力装置４と、屋内に設置され、伝送路（以下、第３の伝送路という。）Ｌ3を経由して玄関子機１、伝送路（以下、第４の伝送路という。）Ｌ4を経由して外部入力装置４にそれぞれ接続された居室親機５とが備えられている。
【００１４】
玄関子機１は、呼出ボタン１０、マイク１１、スピーカ１２、カメラ１３を有している。また、呼出ボタン１０は、来訪者が呼出操作を行うためのものである。
【００１５】
マイク１１およびスピーカ１２は、来訪者が居住者との間で通話を成立させるにあたり、音声（送話音声、受話音声）を入出力するためのものである。
【００１６】
カメラ１３は、来訪者の映像や自機器が設置された周囲環境の映像を撮像するためのものである。このカメラ１３としては、例えば、ＣＣＤ（Charge Coupled Device）撮像素子、ＣＭＯＳ（Complementary Metal Oxide Semiconductor）撮像素子等が好適とされる。
【００１７】
外部入力装置４には、制御回路４０、２つの通信回路（以下、それぞれセンサ回路側Ｉ／Ｆ、親機側Ｉ／Ｆという。）４１、４２が備えられている。また、制御回路４０は、センサ回路３からの出力データに付加されている各種外部センサ２にて検出された情報を、居室親機５の後述する表示部５１の任意の位置に文字メッセージで表示するための位置座標、文字コードのデータ列に変換するためのものである。
【００１８】
センサ回路側Ｉ／Ｆ４１は、第２の伝送路Ｌ2および制御回路４０の間における双方向の信号伝送ラインを形成するためのものである。
【００１９】
親機側Ｉ／Ｆ４２は、第４の伝送路Ｌ4および制御回路４０の間における双方向の信号伝送ラインを形成するためのものである。
【００２０】
居室親機５には、呼出報知／通話部５０、表示部５１、記憶部５２、２つの制御回路（以下、それぞれ表示用制御回路、主制御回路という。）５３、５４と、２つの通信回路（以下、それぞれ子機側Ｉ／Ｆ、外部入力装置側Ｉ／Ｆという。）５５、５６が備えられている。また、呼出報知／通話部５０は、主制御回路５４により制御され、来訪者からの呼び出しがある旨の呼出音（音声メッセージを含む。）を放音するためのスピーカ（図示せず）、居住者が来訪者との間で通話を成立させるにあたり、音声（送話音声、受話音声）を入出力するためのマイクおよび前述のスピーカ（図示せず）、或いはハンドセット（図示せず）が含まれている。
【００２１】
表示部５１は、表示用制御回路５３により制御され、玄関子機１のカメラ１３にて撮像された映像を出画するとともに、来訪者からの呼び出しがある旨の文字メッセージ、来訪者との間で通話が成立している旨の文字メッセージ、各種外部センサ２にて検出された風速、天候、気圧、水量、震度等の内容を示す文字メッセージ等をそれぞれ表示するためのものである。この表示部５１としては、例えば、ＬＣＤ（Liquid Crystal Display）、有機ＥＬ（Electro Luminescence）ディスプレイ等の各種モニタが好適とされる。
【００２２】
記憶部５２は、表示部５１に表示すべき文字メッセージを構成する複数の文字が、図２の文字コード／文字照合テーブル１００に示すように、複数の文字コードにそれぞれ割り当てられて予め記憶されているものである。なお、図２は、文字コード／文字照合テーブルの一例を示すテーブル構成図である。
【００２３】
表示用制御回路５３は、主制御回路５４により制御され、玄関子機１のカメラ１３にて撮像された映像を表示部５１に出画させるとともに、記憶部５２から読み出された文字メッセージを表示部５１の任意の位置（座標位置）に表示させるためのものである。
【００２４】
主制御回路５４は、当該居室親機の構成各部／回路をそれぞれ制御するためのものである。
【００２５】
子機側Ｉ／Ｆ５５は、第３の伝送路Ｌ3および呼出報知／通話部５０の間における双方向の信号伝送ライン（通話ライン）、第３の伝送路Ｌ3から表示用制御回路５３への信号伝送ライン、第３の伝送路Ｌ3および主制御回路５４の間における双方向の信号伝送ラインを、それぞれ形成するためのものである。
【００２６】
外部入力装置側Ｉ／Ｆ５６は、第４の伝送路Ｌ4および主制御回路５４の間における双方向の信号伝送ラインを形成するためのものである。
【００２７】
なお、玄関子機１、各種外部センサ２およびセンサ回路３についての具体的な構成の図示および説明は、それぞれ省略するものとする。
【００２８】
このように構成された本発明を実施するための最良の一形態であるインターホン装置において、以下、具体的な動作について、図１、図２および図３（ａ）、（ｂ）、（ｃ）の各画面構成図をそれぞれ参照して説明する。なお、図３（ａ）、（ｂ）、（ｃ）は、居室親機の表示部に表示される文字メッセージの表示例をそれぞれ示す図である。
【００２９】
図１において、来訪者が居住者を呼び出すために玄関子機１の呼出ボタン１０を操作すると、この玄関子機１にて生成された呼出信号Ｓ1が第３の伝送路Ｌ3、居室親機５の子機側Ｉ／Ｆ５５を経由して主制御回路５４へと伝送される。
【００３０】
居室親機５の主制御回路５４は、呼出信号Ｓ1をもとに来訪者からの呼び出しがあることを検出し、待受モードから呼出モードに移行される。この主制御回路５４は、来訪者からの呼び出しがある旨の呼出音を呼出報知／通話部５０を構成するスピーカ（図示せず）から放音させるとともに、表示用制御回路５３を制御して表示部５１を出画／表示可能な状態とし、さらには、玄関子機１のカメラ１３を駆動させることができる。
【００３１】
また、居室親機５において、呼出モードの主制御回路５４は、来訪者からの呼び出しがある旨の文字メッセージを表示部５１の任意の位置（座標位置）に表示するにあたり、予め設定されている位置座標のデータ、ここでは、「ｘ，ｙ」＝「１０，１０」の座標データと、表示すべき文字メッセージ、例えば、「来客です」の４文字にそれぞれ予め割り当てられているコード番号、ここでは、「２０００」、「２００１」、「２００４」、「２００５」の４つのコード番号から構成される文字コードとのデータ列（以下、第１のデータ列という。）Ｄ1を生成する。この第１のデータ列Ｄ1は、「１０、１０、２０００、２００１、２００４、２００５」のように編成されており、表示用制御回路５３へと伝送される。
【００３２】
居室親機５の表示用制御回路５３は、第１のデータ列Ｄ1を編成する座標データおよび文字コードのうち、文字コードを構成する４つのコード番号「２０００」、「２００１」、「２００４」、「２００５」のそれぞれに一致する文字を、記憶部５２の文字コード／文字照合テーブル１００を参照して順次読み出すことができる。ここでは、「来」、「客」、「で」、「す」の４文字が順次読み出される。
【００３３】
また、居室親機５の表示用制御回路５３は、記憶部５２の文字コード／文字照合テーブル１００を参照して順次読み出された「来」、「客」、「で」、「す」の４文字を、図３（ａ）に示すように、第１のデータ列Ｄ1を編成する座標データ（「ｘ，ｙ」＝）「１０，１０」と一致する表示部５１の座標位置に表示させることができる。
【００３４】
なお、居室親機５において、呼出モードの主制御回路５４は、来訪者からの呼び出しを正常に検出できた旨の呼出確認音（音声メッセージを含む。）を生成して、玄関子機１のスピーカ１２から放音させることもできる。
【００３５】
また、玄関子機１のカメラ１３にて撮像された映像、すなわち、来訪者の映像や自機器が設置された周囲近傍の映像は、映像信号Ｓ2に信号処理された後、第３の伝送路Ｌ3、居室親機５の子機側Ｉ／Ｆ５５を経由して表示用制御回路５３へと伝送される。
【００３６】
居室親機５の表示用制御回路５３は、映像信号Ｓ2を信号処理し、カメラ１３にて撮像された映像を表示部５１に出画させることができる。
【００３７】
次に、前述のように、居室親機５の呼出報知／通話部５０を構成するスピーカ（図示せず）から放音された呼出音および表示部５１の座標「ｘ，ｙ」＝「１０，１０」の位置に表示された文字メッセージ「来客です」をもとに、来訪者からの呼び出しがあることを検出し、さらには、表示部５１に出画されている映像をもとに当該来訪者が誰なのかを認識した居住者が所定の応答操作（詳述せず）を行うと、この操作を検出した主制御回路５４は、呼出モードから通話モードに移行される。この主制御回路５４は、呼出報知／通話部５０を構成するマイクおよびスピーカ（図示せず）と子機側Ｉ／Ｆ５５、第３の伝送路Ｌ3を経由して玄関子機１のマイク１１およびスピーカ１２との間の信号伝送ライン、すなわち、通話ラインを形成するとともに、居住者により応答が行われた旨の応答確認音（音声メッセージを含む。）を生成して、スピーカ１２から放音させることもできる。したがって、居住者にとっては、形成された通話ラインを経由して音声信号（詳述せず）を送受信させることで、来訪者の映像を確認しながらの通話が可能となる。
【００３８】
また、居室親機５において、通話モードの主制御回路５４は、居住者との間で通話が成立している通話中である旨の文字メッセージを表示部５１の任意の位置（座標位置）に表示するにあたり、予め設定されている位置座標のデータ、ここでは、「ｘ，ｙ」＝「２０，１０」の座標データと、表示すべき文字メッセージ、例えば、「通話中です」の５文字にそれぞれ予め割り当てられているコード番号、ここでは、「２０１０」、「２０１１」、「２０１２」、「２００４」、「２００５」の５つのコード番号から構成される文字コードとのデータ列（以下、第２のデータ列という。）Ｄ2を生成する。この第２のデータ列Ｄ2は、「２０、１０、２０１０、２０１１、２０１２、２００４、２００５」のように編成されており、表示用制御回路５３へと伝送される。
【００３９】
居室親機５の表示用制御回路５３は、第２のデータ列Ｄ2を編成する座標データおよび文字コードのうち、文字コードを構成する５つのコード番号「２０１０」、「２０１１」、「２０１２」、「２００４」、「２００５」のそれぞれに一致する文字を、記憶部５２の文字コード／文字照合テーブル１００を参照して順次読み出すことができる。ここでは、「通」、「話」、「中」、「で」、「す」の５文字が順次読み出される。
【００４０】
また、居室親機５の表示用制御回路５３は、記憶部５２の文字コード／文字照合テーブル１００を参照して順次読み出された「通」、「話」、「中」、「で」、「す」の５文字を、図３（ｂ）に示すように、第２のデータ列Ｄ2を編成する座標データ（「ｘ，ｙ」＝）「２０，１０」と一致する表示部５１の座標位置に表示させることができる。
【００４１】
次に、各種外部センサ２にて検出される風速、天候、気圧、水量、震度等のうち、例えば、１０ｍの風速が検出されると、この各種外部センサ２に第１の伝送路Ｌ1を経由して接続されているセンサ回路３では、「風速１０ｍ」の検出データを付加させたセンサ信号Ｓ3を生成する。このセンサ信号Ｓ3は、ＲＳ−２３２Ｃ等の規格化された通信手段により、第２の伝送路Ｌ2、外部入力装置４のセンサ回路側Ｉ／Ｆ４１を経由して制御回路４０へと伝送される。
【００４２】
外部入力装置４の制御回路４０は、センサ信号Ｓ3に付加されている検出データ、すなわち、「風速１０ｍ」を、居室親機５の表示部５１の任意の位置（座標位置）に文字メッセージで表示するための位置座標、文字コードのデータ列に変換する。ここでは、「ｘ，ｙ」＝「１０，２０」の座標データと、表示すべき文字メッセージ、例えば、「風速１０ｍ」の５文字にそれぞれ予め割り当てられているコード番号、ここでは、「２１００」、「２１０１」、「２２０１」、「２２００」、「２２１０」の５つのコード番号から構成される文字コードとのデータ列（以下、第３のデータ列という。）Ｄ3に変換する。この第３のデータ列Ｄ3は、「１０、２０、２１００、２１０１、２２０１、２２００、２２１０」のように編成されており、センサ／データ列信号Ｓ4に付加された後、親機側Ｉ／Ｆ４２、第４の伝送路Ｌ4、居室親機５の外部入力装置側Ｉ／Ｆ５６を経由して主制御回路５４へと伝送される。
【００４３】
居室親機５の主制御回路５４は、センサ／データ列信号Ｓ4を受信するとセンサ検出モードに移行され、このセンサ／データ列信号Ｓ4に付加されている第３のデータ列Ｄ3を表示用制御回路５３に出力する。
【００４４】
居室親機５の表示用制御回路５３は、第３のデータ列Ｄ2を編成する座標データおよび文字コードのうち、文字コードを構成する５つのコード番号「２１００」、「２１０１」、「２２０１」、「２２００」、「２２１０」のそれぞれに一致する文字を、記憶部５２の文字コード／文字照合テーブル１００を参照して順次読み出すことができる。ここでは、「風」、「速」、「１」、「０」、「ｍ」の５文字が順次読み出される。
【００４５】
また、居室親機５の表示用制御回路５３は、記憶部５２の文字コード／文字照合テーブル１００を参照して順次読み出された「風」、「速」、「１」、「０」、「ｍ」の５文字を、図３（ｃ）に示すように、第３のデータ列Ｄ3を編成する座標データ（「ｘ，ｙ」＝）「１０，２０」と一致する表示部５１の座標位置に表示させることができる。
【００４６】
なお、居室親機５において、センサ検出モードの主制御回路５４は、風速が１０ｍである旨の報知音（音声メッセージを含む。）を、呼出報知／通話部５０を構成するスピーカ（図示せず）から放音させることもできる。
【００４７】
前述までの説明では、各種外部センサ２にて検出される情報として、１０ｍの風速が検出された場合について説明したが、これに限定されず、各種外部センサ２にて検出されたあらゆる情報、例えば、その他の風速データ、晴、曇、雨、雷等の天候データ、気圧の数値データ、水量データ、震度データ等の各種検出データや例えば、「風速２５ｍ、警報です」等の各種警報データを、居室親機５の表示部５１の任意の位置（座標位置）に文字メッセージで表示するための位置座標、文字コードのデータ列に変換することができる。このデータ列は、居室親機５の主制御回路５４（および表示用制御回路５３）にて編成される位置座標、文字コードのデータ列と同様なフォーマットであるため、表示部５１に表示すべき文字メッセージを、居室親機５の動作モードを変更せずに追加または変更が可能であり、居室親機５の生産性を高めることができる。
【００４８】
また、本発明の実施例においては、各種外部センサ２にて検出される情報を居室親機５の表示部５１に表示するにあたり、その表示の態様が文字メッセージである場合について説明したが、この態様に限定されるものではない。例えば、表示部５１に表示すべきメッセージとして、文字および絵が組み合わされて構成されるメッセージ、或いは絵のみのメッセージを適用することもできる。これらのメッセージを適用するにあたっては、複数の文字や絵が複数の文字コードや絵コードにそれぞれ割り当てられたようなテーブルが必要となる。
【００４９】
また、本発明の実施例においては、居室親機５に備えられる通信回路として、別体である子機側Ｉ／Ｆ５５および外部入力装置側Ｉ／Ｆ５６の２つの通信回路を設けたが、この態様に限定されるものではなく、一体の通信回路（Ｉ／Ｆ）として設けることもできる。  さらに、本発明の実施例においては、センサ回路３、外部入力装置４および居室親機５をそれぞれ別体で設けたが、この態様に限定されるものではない。例えば、外部入力装置４と同様な機能を有する外部入力回路５７を居室親機５に備え、この外部入力回路５７とセンサ回路３と接続することもできる。または、外部入力装置４と同様な機能をセンサ回路３に備え、このセンサ回路３と居室親機５の外部入力装置側Ｉ／Ｆ５６とを接続することもできる。
【００５０】
なお、本発明のインターホン装置においては、特定の実施の形態をもって説明してきたが、この形態に限定されるものでなく、本発明の効果を奏する限り、これまで知られた如何なる構成であっても採用できるということはいうまでもないことである。
【図面の簡単な説明】
【００５１】
【図１】本発明を実施するための最良の一形態であるインターホン装置の構成を示すシステムブロック図。
【図２】本発明を実施するための最良の一形態であるインターホン装置において、居室親機の記憶部に予め記憶されている文字コード／文字照合テーブルの一例を示すテーブル構成図。
【図３】（ａ）、（ｂ）、（ｃ）は、本発明を実施するための最良の一形態であるインターホン装置において、居室親機の表示部に表示される文字メッセージの表示例をそれぞれ示す画面構成図。
【符号の説明】
【００５２】
１……玄関子機
１３……カメラ
２……各種外部センサ
３……センサ回路
４……外部入力装置
５……居室親機
５１……表示部
５３……表示用制御回路（制御回路）
５４……主制御回路（制御回路）
【図１】
2007097079.tif 000003
【図２】
2007097079.tif 000004
【図３】
2007097079.tif 000005